(57)【要約】【課題】使用するスリーブの径や補強筋の形状等に容易に対応でき、汎用性に優れたスリーブ固定治具を提供する。【解決手段】環状に形成された鉄筋から成る補強筋の内部にスリーブを配置し、同スリーブを結束線で前記補強筋に固定する際に用いられるスリーブ固定治具であって、板状部材に、補強筋を嵌め込む補強筋用凹部と、スリーブを嵌め込む貫通穴と、同貫通穴から放射状に延び前記補強筋用凹部まで達する複数の結束線用凹部とが形成されていることを特徴とする。【選択図】図１
2008156875.tif 000002
【特許請求の範囲】
【請求項１】
環状に形成された鉄筋から成る補強筋の内部にスリーブを配置し、同スリーブを結束線で前記補強筋に固定する際に用いられるスリーブ固定治具であって、
板状部材に、補強筋を嵌め込む補強筋用凹部と、スリーブを嵌め込む貫通穴と、同貫通穴から放射状に延び前記補強筋用凹部まで達する複数の結束線用凹部とが形成されていることを特徴とする、スリーブ固定治具。
【請求項２】
板状部材は発泡樹脂板で構成されていることを特徴とする、請求項１に記載のスリーブ固定治具。
【請求項３】
環状に形成された鉄筋から成る補強筋の内部にスリーブを配置し、同スリーブを結束線で前記補強筋に固定する方法であって、
板状部材に、補強筋を嵌め込む補強筋用凹部と、スリーブを嵌め込む貫通穴と、同貫通穴から放射状に延び前記補強筋用凹部まで達する複数の結束線用凹部とを形成してスリーブ固定治具を製作すること、
スリーブに環状結束線を巻き付け、同環状結束線から複数本の放射状結束線を延ばし、その放射状結束線をスリーブ固定治具の結束線用凹部に配置しつつ、スリーブを貫通穴に嵌め込み、前記放射状結束線の端部を補強筋用凹部に嵌め込んだ補強筋に結束することを特徴とする、スリーブ固定方法。
【発明の詳細な説明】
【技術分野】
【０００１】
この発明は、スリーブ固定治具及びそれを用いたスリーブ固定方法の技術分野に属し、更に云うと、スリーブを補強筋の内部の所定の位置に簡易、迅速に固定するスリーブ固定治具及びそれを用いたスリーブ固定方法に関する。
【背景技術】
【０００２】
鉄筋コンクリート造の壁、梁、基礎スラブ等に配管、配線用の貫通穴を設ける場合、硬化したコンクリートに穴を形成することは容易ではなく、また鉄筋を切断する虞もあるので、コンクリートの所定の位置にスリーブを埋設することで、貫通穴を形成している。
【０００３】
この際、貫通穴は断面欠損部となるので、所望の強度を得られるように、貫通穴周辺に補強筋を配筋し補強するのが一般的であり、前記補強筋は、施工性を高めるためにロ字形状、円形状等の環状に形成されているが、環状の補強筋の内側に所定のコンクリートかぶり厚が確保されるように精度良くスリーブを配置することが重要である。
【０００４】
例えば、特許文献１では、環状支持バンドでスリーブを支持し、環状支持バンドから放射状に取り付けられた複数本のスポーク体の先端部クリップで環状の補強筋を把握することによって、スリーブを精度良く所定の位置に固定（配置）するスリーブ支持装置が提案されている。上記構成によるとスリーブの配置操作を簡単に行うことができる。
【０００５】
また、特許文献２では、環状の補強筋に対し、固定腕を放射状に固定し、固定腕の先端部に取り付けられた進退自在な係止部材やキャップでスリーブを挟持して保持するスリーブ保持手段が提案されている。上記構成によるとスリーブの径に合わせて係止部材を進退させることで異なる径のスリーブに対応可能である。
【０００６】
【特許文献１】特開２００５−６８８２４号公報
【特許文献２】特開２００４−２２５３２８号公報
【発明の開示】
【発明が解決しようとする課題】
【０００７】
しかしながら、特許文献１の技術では、汎用性に欠け、スリーブの径や補強筋の形状に応じて複数種類のスリーブ支持装置を用意しなければならない問題がある。
【０００８】
また、特許文献２の技術では、特許文献１のような汎用性の問題はないものの、それぞれのスリーブに対して複雑な機構の係止部材が１本ないし複数本必要で、且つそれらはコンクリート内部に埋め殺されてしまい繰り返しの使用が不可能であるため、コストが嵩むという問題がある。
【０００９】
本発明は上記問題を解決し、使用するスリーブの径や補強筋の形状等に容易に対応でき、汎用性に優れたスリーブ固定治具と、そのスリーブ固定治具を用いることでスリーブの位置決めが容易で、他に特殊な加工や機構を必要とせず、コストの軽減に寄与するスリーブ固定方法を提供することを目的とする。
【課題を解決するための手段】
【００１０】
上記背景技術の課題を解決するための手段として、請求項１に記載した発明に係るスリーブ固定治具は、
環状に形成された鉄筋から成る補強筋の内部にスリーブを配置し、同スリーブを結束線で前記補強筋に固定する際に用いられるスリーブ固定治具であって、
板状部材に、補強筋を嵌め込む補強筋用凹部と、スリーブを嵌め込む貫通穴と、同貫通穴から放射状に延び前記補強筋用凹部まで達する複数の結束線用凹部とが形成されていることを特徴とする。
【００１１】
請求項２記載の発明は、請求項１に記載のスリーブ固定治具において、
板状部材は発泡樹脂板で構成されていることを特徴とする。
【００１２】
請求項３に記載した発明に係るスリーブ固定方法は、
環状に形成された鉄筋から成る補強筋の内部にスリーブを配置し、同スリーブを結束線で前記補強筋に固定する方法であって、
板状部材に、補強筋を嵌め込む補強筋用凹部と、スリーブを嵌め込む貫通穴と、同貫通穴から放射状に延び前記補強筋用凹部まで達する複数の結束線用凹部とを形成してスリーブ固定治具を製作すること、
スリーブに環状結束線を巻き付け、同環状結束線から複数本の放射状結束線を延ばし、その放射状結束線をスリーブ固定治具の結束線用凹部に配置しつつ、スリーブを貫通穴に嵌め込み、前記放射状結束線の端部を補強筋用凹部に嵌め込んだ補強筋に結束することを特徴とする。
【発明の効果】
【００１３】
本発明に係るスリーブ固定治具は、使用するスリーブの径や補強筋の形状等に合わせて板状部材を加工するだけで、スリーブの径や補強筋の形状等に容易に対応することができる。特に、板状部材を発泡樹脂板で構成すると、例えば現場サイトでカッターナイフ等を用いて簡単に製作することもでき、型を起こす必要がない。しかも使用するスリーブの径や補強筋の形状等に合わせて対応し易くなる。つまり、量産でも現場での加工でも対応することができる。
【００１４】
また、スリーブ固定治具はスリーブとともにコンクリート内に埋め殺しにする必要がないので繰り返し使用することができ、コストの削減に寄与する。
【００１５】
本発明に係るスリーブ固定方法は、上記スリーブ固定治具を用い、スリーブを貫通穴に嵌め込んで固定するので、各々の放射状結束線の張力が不均等であっても、スリーブがズリ動くことがなく、しっかりと補強筋内の所定の位置に固定することができる。つまり、スリーブの位置決めが容易である。
【００１６】
しかも放射状結束線の張力は、補強筋用凹部の空いているスペースで、結束工具（ハッカー）を用いて導入することができ、作業性に優れている。
【００１７】
また、スリーブ固定治具の他に特殊な機構、加工を必要とせず、鉄筋の結束作業に一般的に用いられている結束工具さえあれば作業ができ、コストの削減に寄与する。
【発明を実施するための最良の形態】
【００１８】
以下、請求項１、２に記載した発明に係るスリーブ固定治具、及び請求項３に記載した発明に係る前記スリーブ固定治具を用いたスリーブ固定方法の実施形態を図面に基いて説明する。なお、便宜上、先にスリーブ固定治具について説明し、その後前記スリーブ固定治具を用いたスリーブ固定方法について説明する。
【００１９】
本発明のスリーブ固定治具１は、環状に形成された鉄筋から成る補強筋２の内部にスリーブ３を配置し、同スリーブ３を結束線４で前記補強筋２に固定する際に好適に用いられる（図１を参照）。
【００２０】
このスリーブ固定治具１は、板状部材５に、補強筋２を嵌め込む補強筋用凹部６と、スリーブ３を嵌め込む貫通穴７と、同貫通穴７から放射状に延び前記補強筋用凹部６まで達する複数の結束線用凹部８とが形成されていることを特徴とする（請求項１記載の発明）。
【００２１】
板状部材５は、特に限定されず、繰り返し使用できる耐久性を備えている材料で構成されていれば良いが、発泡樹脂板で構成すると、例えば現場サイトでカッターナイフ等を用いて簡単に製作することもでき、型を起こす必要がない（請求項２記載の発明）。しかも使用するスリーブ３の径や補強筋２の形状に合わせて容易に対応し易くなる。つまり、量産でも現場での加工でも対応することができる。
【００２２】
補強筋用凹部６は、嵌め込んだ補強筋２とスリーブ３とを結束線４で連結した際に、補強筋２がズリ動かないように、同補強筋用凹部６の側壁６ａが補強筋２の内周と略等しい形状であることが好ましいが、部分的に側壁６ａが補強筋２に接触して同補強筋２を固定する形状であっても良い。要するに、補強筋２がズリ動かないように固定できる形状であれば良い。ちなみに、本実施形態では、補強筋２が正方形状の外周筋２ａと、同外周筋２ａの内部に配置され一体化された八角形状の内周筋２ｂとから成るため、補強筋用凹部６の側壁６ａは前記内周筋２ｂに合わせて八角形状に形成されている。
【００２３】
補強筋用凹部６の幅寸法、深さは、補強筋２を嵌め込むのに十分な幅寸法、深さを有していれば良いが、補強筋用凹部６は前記の深さのまま外方に切り欠いた、即ち断面Ｌ字形状とされていると、補強筋２の外周筋２ａの形状を問わず使用することができ、しかも結束線４を内周筋２ｂに結束する際の作業スペースを確保することができ、好都合である。
【００２４】
貫通穴７は、スリーブ３の外径と略等しい内径とされていることが好ましいが、やはり部分的に貫通穴７の側壁がスリーブ３に接触して同スリーブ３を固定する形状であっても良い。この貫通穴７も、要するにスリーブ３がズリ動かないように固定できる形状であれば良い。
【００２５】
結束線用凹部８は、結束線４が配置される位置に対応して形成されており、スリーブ３をバランス良く固定できるように、略等間隔で少なくとも３本以上形成される。このとき、結束線用凹部８の幅寸法、深さは、結束線４を配置するのに十分な幅寸法、深さを有していれば良いが、作業性を考慮して、補強筋用凹部６に嵌め込まれた補強筋２の中心位置より深く凹んでいることが好ましい。
【００２６】
上記構成のスリーブ固定治具１を用いて、本発明のスリーブ固定方法は以下のように実施される。
【００２７】
先ず、補強筋２の形状、スリーブ３の径、結束線４の配置に合わせて、板状部材５に、補強筋２を嵌め込む補強筋用凹部６と、スリーブ３を嵌め込む貫通穴７と、同貫通穴７から放射状に延び前記補強筋用凹部６まで達する複数の結束線用凹部８とを形成してスリーブ固定治具１を製作する。補強筋２の形状、スリーブ３の径、結束線４の配置に合わせて板状部材５を加工するだけで、スリーブ３の径、補強筋２の形状に容易に対応することができる。
【００２８】
次に、スリーブ固定治具１の補強筋用凹部６に補強筋２を嵌め込む（図２を参照）。補強筋２は、通例の補強筋と同様に鉄筋から成るが、本実施形態では、上述したように例えば鉄筋コンクリート造壁を施工するべく配筋された縦筋９、横筋１０（図７を参照）に容易に取り付けることができるように、正方形状に形成された外周筋２ａと、スリーブ３から四方に略等間隔で延ばした４本の結束線４…をそれぞれ鉄筋に対して略直角に結束できるように、八角形状に形成された内周筋２ｂとが溶接により一体化されている。
【００２９】
上記工程の一方で、スリーブ３から放射状に４本の結束線４…を略等間隔で延ばす。具体的に云うと、スリーブ３は、通例のスリーブと同様に、ボイド管、塩ビ管等から成り、このスリーブ３の所定の高さに環状結束線４ａを巻き付け、同環状結束線４ａに略等間隔に４本の放射状結束線４ｂ…をＵ字状に通し、環状結束線４ａから放射状結束線４ｂを放射状に延ばす（図３を参照）。
【００３０】
この放射状結束線４ｂの一方の端部を前記スリーブ固定治具１の補強筋用凹部６に嵌め込んだ補強筋２の内周筋２ｂの下方に通し、他方の端部を上方に通して、放射状結束線４ｂを結束線用凹部８に配置しつつ、スリーブ３を貫通穴７に嵌め込み、前記放射状結束線４ｂの両端部を引っ張って同放射状結束線４ｂが弛まないように緊張させ結束する（図４、図５を参照、請求項３記載の発明）。スリーブ３は貫通穴７に嵌め込まれ固定されているので、４本の放射状結束線４ｂ…の張力が不均等であっても、ズリ動くことがなく、しっかりと補強筋２内の所定の位置に固定することができる。しかも放射状結束線４ｂの張力は、補強筋用凹部６の空いているスペースで、結束工具（ハッカー）を用いて導入することができ、作業性に優れている。また、スリーブ固定治具１の他に特殊な機構、加工を必要とせず、鉄筋の結束作業に一般的に用いられている結束工具さえあれば作業ができ、コストの削減に寄与する。
【００３１】
上記工程によって結束線４で一体化された補強筋２とスリーブ３とはスリーブ固定治具１から抜き取られ、例えば鉄筋コンクリート造壁を形成するべく配筋された縦筋９、横筋１０に結束線を用いて補強筋２の外周筋２ａが取り付けられる（図６、図７を参照）。スリーブ固定治具１はスリーブとともにコンクリート内に埋め殺しにする必要がないので繰り返し使用することができ、やはりコストの削減に寄与する。
【産業上の利用可能性】
【００３２】
本発明のスリーブ固定治具及びそれを用いたスリーブ固定方法は、環状に形成された鉄筋から成る補強筋の内部にスリーブを配置し、同スリーブを結束線で前記補強筋に固定する際に利用可能である。
【図面の簡単な説明】
【００３３】
【図１】本発明に係るスリーブ固定治具を概略的に示した図である。
【図２】本発明に係るスリーブ固定方法において、スリーブ固定治具の補強筋用凹部に補強筋を嵌め込んだ状態を示した図である。
【図３】スリーブに環状結束線を巻き付け、同環状結束線に放射状結束線を通した状態を示した図である。
【図４】本発明に係るスリーブ固定方法において、補強筋に放射状結束線を結束する段階を示した図である。
【図５】本発明に係るスリーブ固定方法において、補強筋に放射状結束線を結束した段階を示した図である。
【図６】本発明に係るスリーブ固定方法において、結束線で一体化した補強筋とスリーブとをスリーブ固定治具から抜き取る段階を示した図である。
【図７】結束線で一体化した補強筋とスリーブとを、鉄筋コンクリート造壁を構築するべく配筋された縦筋と横筋に取り付ける段階を示した図である。
【符号の説明】
【００３４】
１  スリーブ固定治具
２  補強筋
３  スリーブ
４  結束線
４ａ  環状結束線
４ｂ  放射状結束線
５  板状部材
６  補強筋用凹部
７  貫通穴
８  結束線用凹部
【図１】
2008156875.tif 000003
【図２】
2008156875.tif 000004
【図３】
2008156875.tif 000005
【図４】
2008156875.tif 000006
【図５】
2008156875.tif 000007
【図６】
2008156875.tif 000008
【図７】
2008156875.tif 000009